(57)【要約】  【課題】従来の構成では、四方弁の高圧側導入口と低圧側導出口が互いに１８０°対向した位置に設けられているため、高圧側導入口への配管を大きく迂回させる必要があり、配管接続にスペースを費やすという課題を有していた。  【解決手段】本発明の四方弁は、高圧側の導入口２０と低圧側の導出口３を略垂直となる位置関係に配置して開口したものであり、低圧側導出口３と高圧側導入口２０の配管距離が短くなり、配管を大きく迂回させる必要がなく、配管接続がコンパクトになる。【選択図】図３
2006145129.tif 000002
【特許請求の範囲】
【請求項１】
弁本体に高圧側の導入口と低圧側の導出口を開口するとともに、この弁本体に前記導出口の両側に位置して通口をそれぞれ開口し、この弁本体内に前記導出口と通口とが開口された弁座上を摺動し前記弁本体の導出口と両側の通口のいずれか一方を選択的に連通させる摺動弁体を前記弁本体に設けたものにおいて、前記高圧側の導入口と前記低圧側の導出口を略垂直に配置して開口したことを特徴とする四方弁。
【請求項２】
高圧側の導入口の口径をΦ１〜５ｍｍとした請求項１に記載の四方弁。
【請求項３】
低圧側の導出口の口径をΦ１〜５ｍｍとした請求項１に記載の四方弁。
【請求項４】
圧縮機と、室外熱交換器と、請求項１から３のいずれか一項に記載の四方弁からなる室外ユニットにおいて、前記圧縮機の配管方向に前記四方弁を並べて置くとともに、前記四方弁を高圧側導入口が水平方向となるよう横置きに設置することを特徴とする室外ユニット。
【請求項５】
圧縮機と、室外熱交換器と、請求項１から３のいずれか一項に記載の四方弁からなる室外ユニットにおいて、前記圧縮機の配管方向に前記四方弁を並べて置くとともに、前記四方弁を高圧側導入口が鉛直下向きとなるよう縦置きに設置することを特徴とする室外ユニット。
【発明の詳細な説明】
【技術分野】
【０００１】
本発明は、四方弁に係り、例えばヒートポンプ方式を採用する自動販売機などの可逆冷凍サイクルに使用される直動型の四方弁に関するものである。
【背景技術】
【０００２】
従来、この種の直動型四方弁は、弁本体の中央部に高圧側の導入口と低圧側の導出口とを相対して開口している（例えば、特許文献１参照）。
【０００３】
図４は従来の直動型四方弁の全体断面図である。図５は従来の直動型四方弁を横置きに設置した場合の配管構成図である。図６は従来の直動型四方弁を縦置きに設置した場合の配管構成図である。
【０００４】
図４，図５，図６において、従来の直動型四方弁は、シリンダ状の弁本体１と、弁本体１の中間部に設けた高圧側の導入口２と、導入口２に対向する位置に設けた低圧側の導出口３と、導出口３の両側に通口４，５が形成されている。また、導出口３と通口４，５とが開口された弁座６が形成され、弁座６を摺動する摺動弁体７が設けられている。電磁コイル８は、プランジャ９の駆動源であり、可動管１０を介して摺動弁体７に駆動力を伝達する。また、弁本体１の導入口２に配管２ａを介して圧縮機１１の高圧側、導出口３に配管３ａを介して圧縮機１１の低圧側、通口４に配管４ａを介して室外熱交換器１３、通口５に配管５ａを介して室内熱交換器１２が配管接続されている。そして、配管１４は室外熱交換器１３と室内熱交換器１２を接続しており、室外熱交換器１３と圧縮機１１の間には放熱ファン１５が配設されている。また、室外ユニット１６内には弁本体１と電磁コイル８からなる四方弁と、圧縮機１１と、放熱ファン１５と室外熱交換器１３が配設されている。そして、圧縮機１１にはターミナル部１７が設けられている。
【０００５】
以上のように構成された四方弁とそれを用いた室外ユニットについて、以下その動作を説明する。
【０００６】
まず、冷却時には、室外ユニット１６内に設置された弁本体１の導入口２に圧縮機１１の高圧冷媒が配管２ａを通って供給される。そして、導入口２と通口４が連通するよう摺動弁体７が弁座６上を移動し、高圧冷媒は通口４から配管４ａを通って室外熱交換器１３へと供給される。また、室外熱交換器１３で放熱ファン１５により凝縮液化した高圧冷媒は、配管１４を通ってキャピラリチューブ（図示せず）で減圧され、室内熱交換器１２へと流入し、室内を冷却した後、配管５аを通って弁本体１の通口５に流入し、導出口３より配管３ａを通って圧縮機１１へと戻る。
【０００７】
次に、加熱時には、室外ユニット１６内に設置された弁本体１の導入口２に圧縮機１１の高圧冷媒が配管２ａを通って供給される。そして、導入口２と通口５が連通するよう摺動弁体７が弁座６上を移動し、高圧冷媒は通口５から配管５ａを通って室内熱交換器１２へと供給される。室内熱交換器１２で室内を加熱した高圧冷媒は、配管１４を通ってキャピラリチューブ（図示せず）で減圧され、室外熱交換器１３へと流入し、放熱ファン１６で冷却された後、配管４ａを通って弁本体１の通口４に流入し、導出口３より配管３ａを通って圧縮機１１へと戻る。
【０００８】
また、電磁コイル８に通電することでプランジャ９を往復動させ、プランジャ９と連結された可動管１０を駆動させて摺動弁体７を移動させる。
【０００９】
また通常、口径の大きい圧縮機１１の吸入配管３ａを短くするために、圧縮機１１の吸入側近傍に四方弁が設置される。このとき、圧縮機１１に設けられたターミナル部１７が突出しており、四方弁はこの突出部分を避けるように圧縮機１１の斜め横に配置される。
【００１０】
さらにまた、直動型四方弁は、パイロットバルブ方式に比べてコンパクトなので、圧縮機近傍に並べて設置することができる。
【特許文献１】特開昭６１−７４９８４号公報
【発明の開示】
【発明が解決しようとする課題】
【００１１】
しかしながら、上記従来の構成では、四方弁の高圧側導入口と低圧側導出口が互いに１８０°対向した位置に設けられているため、配管距離ＡまたはＢが長くなり、高圧側導入口への配管を大きく迂回させなければならず、配管接続にスペースを費やすという課題を有していた。
【００１２】
本発明は、上記従来の課題を解決するもので、室外ユニット内の四方弁と構成機器との配管接続をコンパクトにし、自動販売機などの狭い空間内にも配置できる四方弁を提供することを目的とする。
【課題を解決するための手段】
【００１３】
上記従来の課題を解決するために、本発明の四方弁は、高圧側の導入口と低圧側の導出口を略垂直に配置して開口したものであり、低圧側導出口と高圧側導入口の配管距離が短くなり、配管を大きく迂回させる必要がなく、配管接続がコンパクトになる。
【発明の効果】
【００１４】
本発明の四方弁は、高圧側導入口への配管を大きく迂回させる必要がなく、配管接続がコンパクトになり、自動販売機などの狭い空間内にも配置することができる。
【発明を実施するための最良の形態】
【００１５】
請求項１に記載の発明は、弁本体に高圧側の導入口と低圧側の導出口を開口するとともに、この弁本体に前記導出口の両側に位置して通口をそれぞれ開口し、この弁本体内に前記導出口と通口とが開口された弁座上を摺動し前記弁本体の導出口と両側の通口のいずれか一方を選択的に連通させる摺動弁体を前記弁本体に設けたものにおいて、前記高圧側の導入口と前記低圧側の導出口を略垂直に配置して開口したことにより、低圧側導出口と高圧側導入口の配管距離が短くなり、高圧側導入口への配管を大きく迂回させる必要がなく、配管接続がコンパクトになる。
【００１６】
請求項２に記載の発明は、請求項１に記載の発明において、高圧側の導入口の口径をΦ１〜５ｍｍとしたことにより、高効率でコンパクトなシステムが実現できる。Φ１未満では配管での抵抗が大きくなり、Φ５より大きいと配管の曲げ寸法が大となりスペースを取られる。
【００１７】
請求項３に記載の発明は、請求項１に記載の発明において、低圧側の導出口の口径をΦ１〜５ｍｍとしたことにより、高効率でコンパクトなシステムが実現できる。Φ１未満では配管での抵抗が大きくなり、Φ５より大きいと配管の曲げ寸法が大となりスペースを取られる。
【００１８】
請求項４に記載の発明は、圧縮機と、室外熱交換器と、請求項１から３のいずれか一項に記載の発明の四方弁からなる室外ユニットにおいて、前記圧縮機の配管方向に前記四方弁を並べて置くとともに、前記四方弁を高圧側導入口が水平方向となるよう横置きに設置することにより、口径の大きい圧縮機低圧側配管の接続距離を短くするとともに、高圧側導入口への配管を大きく迂回させる必要がなく、配管接続をコンパクトにできる。
【００１９】
請求項５に記載の発明は、圧縮機と、室外熱交換器と、請求項１から３のいずれか一項に記載の発明の四方弁からなる室外ユニットにおいて、前記圧縮機の配管方向に前記四方弁を並べて置くとともに、前記四方弁を高圧側導入口が鉛直下向きとなるよう縦置きに設置することにより、吐出配管と吸入配管を近接させて配置するとともに同一方向に設けた集中配管仕様の圧縮機が採用された室外ユニットにおいて、高圧側導入口への接続距離を短くすることができ、迂回の必要もなく、配管接続を大幅に簡素化できる。
【００２０】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２１】
（実施の形態１）
図１は、本発明の実施の形態１における直動型四方弁の全体断面図である。図２は本発明の実施の形態１における直動型四方弁を横置きに設置した場合の配管構成図である。
【００２２】
図１、図２において、弁本体１の一方の側に、圧縮機１１の低圧側と配管３ａで接続される導出口３と、室外熱交換器１３に配管４аで接続される通口４と、室内熱交換器１２に配管５аで接続される通口５を略直線状に配設し、導出口３と略垂直に圧縮機１１の高圧側と配管２０аで接続される導入口２０が配置されている。
【００２３】
また、圧縮機１１の配管方向に四方弁を並べて置くとともに、四方弁を高圧側導入口が水平方向となるよう横置きに設置する。
【００２４】
以上のように構成された室外ユニットについて、以下その動作、作用を説明する。
【００２５】
まず、庫内を冷却する場合、四方弁の弁本体１の通口４と導入口２０を連通し、圧縮機１１から吐出される高温高圧の冷媒を室外熱交換器１３へと導く。それと同時に、弁本体１の導出口３と通口５を連通させて、室内熱交換器１２から戻る低温低圧の冷媒を圧縮機１１の吸入側へと導く。
【００２６】
次に、庫内を加温する場合、四方弁の弁本体１の通口５と導入口２０を連通し、圧縮機１１から吐出される高温高圧の冷媒を室内熱交換器１２へと導く。それと同時に、弁本体１の導出口３と通口４を連通させて、室外熱交換器１３から戻る低温低圧の冷媒を圧縮機１１の吸入側へと導く。
【００２７】
また通常、口径の大きい圧縮機１１の吸入配管３аを短くするために、圧縮機１１の吸入側近傍に四方弁が設置される。そして、弁本体１の直線状に配設された導出口３と、通口４，５はほぼ同じ場所で配管接続される。さらに、圧縮機１１の高圧側と接続される四方弁の導入口２０は離れて配置されているが、角度的には９０°の位置に設けられているため、配管距離Ａ０が短くなり、配管を大きく迂回させる必要はない。
【００２８】
以上のように、本実施の形態においては、圧縮機１１の低圧側と接続される導出口３と略垂直に圧縮機１１の高圧側と接続される導入口２０を配置することにより、圧縮機１１から導入口２０への配管２０аを大きく迂回させる必要がなく、配管接続をコンパクトにでき、自動販売機などの狭い空間内にも配置することができる。
【００２９】
なお、高圧側の導入口２０と、低圧側の導出口３の口径をΦ１〜５ｍｍとしたことにより、高効率でコンパクトなシステムが実現できる。Φ１未満では配管での抵抗が大きくなり、Φ５より大きいと配管の曲げ寸法が大となりスペースを取られる。
【００３０】
（実施の形態２）
図３は本発明の実施の形態１における直動型四方弁を縦置きに設置した場合の配管構成図である。
【００３１】
図３において、四方弁は縦置きに設置されており、圧縮機１１の低圧側と接続される導出口３と略垂直に圧縮機１１の高圧側と接続される導入口２０が鉛直下向きに配置されている。そして、室外ユニット１６内のスペースを有効利用するために集中配管を採用しており、四方弁もその弁本体１の一方の側に配設された導出口３、通口４、通口５を集中配管スペースの方へ向けて設置する。
【００３２】
以上のように構成された室外ユニットについて、以下その動作、作用を説明する。
【００３３】
圧縮機の高圧側と接続される四方弁の導入口２０は、導出口３と離れて配置されているが、位置的には９０°鉛直下向きに設けられており、四方弁を横置きに設置する場合と比較して、配管距離Ｂ０が短くなり、導入口２０に接続される配管２１の自由度が増すとともに、配管２１を迂回させることなく、集中配管スペースに引き出すことが可能となる。
【００３４】
以上のように、本実施の形態においては、四方弁を縦置きに設置することにより、導入口２０に接続される配管２１の自由度が増すとともに、配管２１を迂回させることなく、集中配管スペースに引き出すことが可能となり、室外ユニットの省スペース化が図れる。
【００３５】
なお、圧縮機１１の高圧側配管２１と低圧側配管３ａは、集中配管を採用する場合、同一方向に設けるべきであり、そうすることで配管スペースを集約できる。
【００３６】
なお、四方弁を縦置きにすると、投影面積が最小になるとともに、圧縮機１１の高圧側配管２１を適当な方向に曲げられるというメリットがある。
【産業上の利用可能性】
【００３７】
以上のように、本発明にかかる四方弁とそれを用いた室外ユニットは、高圧側導入口への配管を大きく迂回させる必要がなく、配管接続がコンパクトになるので、冷温蔵庫等の用途にも適用できる。
【図面の簡単な説明】
【００３８】
【図１】本発明の実施の形態１における直動型四方弁の全体断面図
【図２】本発明の実施の形態１における直動型四方弁を横置きに設置した場合の配管構成図
【図３】本発明の実施の形態２における直動型四方弁を縦置きに設置した場合の配管構成図
【図４】従来の直動型四方弁の全体断面図
【図５】従来の直動型四方弁を横置きに設置した場合の配管構成図
【図６】従来の直動型四方弁を縦置きに設置した場合の配管構成図
【符号の説明】
【００３９】
３    導出口
２０  導入口
２０а  配管
２１  配管
【図１】
2006145129.tif 000003
【図２】
2006145129.tif 000004
【図３】
2006145129.tif 000005
【図４】
2006145129.tif 000006
【図５】
2006145129.tif 000007
【図６】
2006145129.tif 000008